(57)【要約】【課題】ユーザに利便性の良いユーザインターフェースを提示する。【解決手段】複数の言語に対応したユーザインターフェースを出力する出力装置であって、ユーザを特定するユーザ特定情報を取得する情報取得手段と、前記ユーザに対応する言語のユーザインターフェースを用いるか判定し、判定した結果から、前記情報取得手段により得られたユーザ特定情報に基づき、前記ユーザインターフェースの使用言語を決定する言語決定手段と、前記言語決定手段により得られた使用言語によるユーザインターフェースを出力する出力手段とを有することにより上記課題を解決する。【選択図】図１
2014177100.tif 000002
【特許請求の範囲】
【請求項１】
複数の言語に対応したユーザインターフェースを出力する出力装置であって、
ユーザを特定するユーザ特定情報を取得する情報取得手段と、
前記ユーザに対応する言語のユーザインターフェースを用いるか判定し、判定した結果から、前記情報取得手段により得られたユーザ特定情報に基づき、前記ユーザインターフェースの使用言語を決定する言語決定手段と、
前記言語決定手段により得られた使用言語によるユーザインターフェースを出力する出力手段とを有することを特徴とする出力装置。
【請求項２】
前記言語決定手段は、
前記ユーザ特定情報から、前記使用言語と予め対応付けた所定のパターンを抽出し、抽出したパターンに基づき、前記ユーザインターフェースの使用言語を決定することを特徴とする請求項１に記載の出力装置。
【請求項３】
前記ユーザの使用言語を設定する言語設定手段を有し、
前記出力手段は、
前記言語設定手段により得られた使用言語によるユーザインターフェースを出力することを特徴とする請求項１に記載の出力装置。
【請求項４】
前記ユーザの使用言語を、予め設定された使用言語に切り換える切換手段を有し、
前記出力手段は、
前記切換手段により切り換えられた使用言語によるユーザインターフェースを出力することを特徴とする請求項１に記載の出力装置。
【請求項５】
コンピュータを、
請求項１乃至４のいずれか一項に記載の出力装置が有する各手段として機能させるためのプログラム。
【請求項６】
複数の言語に対応したユーザインターフェースを出力する出力装置と、該出力装置にサービスを提供する１以上の情報処理装置とが、ネットワークを介して接続される情報処理システムであって、
ユーザを特定するユーザ特定情報を取得する情報取得手段と、
前記ユーザに対応する言語のユーザインターフェースを用いるか判定し、判定した結果から、前記情報取得手段により得られたユーザ特定情報に基づき、前記ユーザインターフェースの使用言語を決定する言語決定手段と、
前記言語決定手段により得られた使用言語によるユーザインターフェースを出力する出力手段と
前記情報処理装置が、前記出力装置から前記ユーザインターフェースに用いる使用言語情報を取得した場合に、前記使用言語情報に基づき作成したユーザインターフェースを前記出力装置に送信する送信手段とを有することを特徴とする情報処理システム。
【請求項７】
前記送信手段は、
前記出力装置から前記ユーザインターフェースに用いる使用言語情報が得られなかった場合に、前記ユーザ特定情報に対応する使用言語に基づき作成したユーザインターフェースを前記出力装置に送信することを特徴とする請求項６に記載の情報処理システム。
【請求項８】
前記送信手段は、
前記出力装置から前記ユーザインターフェースに用いる使用言語情報が得られなかった場合に、前記出力装置に対応する使用言語に基づき作成したユーザインターフェースを前記出力装置に送信することを特徴とする請求項６に記載の情報処理システム。
【請求項９】
複数の言語に対応したユーザインターフェースを出力する出力装置と、該出力装置にサービスを提供する１以上の情報処理装置とが、ネットワークを介して接続される情報処理システムにおける情報処理方法であって、
ユーザを特定するユーザ特定情報を取得する情報取得手順と、
前記ユーザに対応する言語のユーザインターフェースを用いるか判定し、判定した結果から、前記情報取得手順により得られたユーザ特定情報に基づき、前記ユーザインターフェースの使用言語を決定する言語決定手順と、
前記言語決定手順により得られた使用言語によるユーザインターフェースを出力する出力手順と
前記情報処理装置が、前記出力装置から前記ユーザインターフェースに用いる使用言語情報を取得した場合に、前記使用言語情報に基づき作成したユーザインターフェースを前記出力装置に送信する送信手順とを有することを特徴とする情報処理方法。
【発明の詳細な説明】
【技術分野】
【０００１】
本願は、出力装置、プログラム、情報処理システム、及び情報処理方法に関する。
【背景技術】
【０００２】
複数の言語に対応したユーザインターフェースを出力する多言語対応装置が知られている。この多言語対応装置では、予めユーザごとにユーザ情報とユーザインターフェースに用いる使用言語とを対応付けて管理しておくことで、ユーザ情報の入力に対してユーザインターフェースの使用言語を特定している（例えば、特許文献１参照）。
【発明の概要】
【発明が解決しようとする課題】
【０００３】
しかしながら、上述した特許文献１の方法では、データ量が膨大となり、管理している情報に変更が生じた場合にはその都度変更しなければならない等の手間がかかった。また、対応付けられた使用言語が一律に用いられると、ユーザの利便性を損なうことがあった。
【０００４】
１つの側面では、本発明は、ユーザに利便性の良いユーザインターフェースを提示することを目的とする。
【課題を解決するための手段】
【０００５】
一態様において、複数の言語に対応したユーザインターフェースを出力する出力装置であって、ユーザを特定するユーザ特定情報を取得する情報取得手段と、前記ユーザに対応する言語のユーザインターフェースを用いるか判定し、判定した結果から、前記情報取得手段により得られたユーザ特定情報に基づき、前記ユーザインターフェースの使用言語を決定する言語決定手段と、前記言語決定手段により得られた使用言語によるユーザインターフェースを出力する出力手段とを有することを特徴とする。
【発明の効果】
【０００６】
ユーザに利便性の良いユーザインターフェースを提示することが可能となる。
【図面の簡単な説明】
【０００７】
【図１】第１実施形態に係る画像処理装置の機能構成の一例を示す図である。
【図２】第１実施形態に係る画像処理装置のハードウェア構成の一例を示す図である。
【図３】第１実施形態に係る使用言語決定処理手順の一例を示すフローチャートである。
【図４】使用言語決定処理に用いられるテーブルの一例を示す図である。
【図５】ユーザ情報表示画面を説明するための図である。
【図６】第２実施形態に係るシステムの一例の構成図である。
【図７】第２実施形態に係るコンピュータシステムのハードウェア構成図である。
【図８】第２実施形態に係るサービス提供システムの一例の処理ブロックを示す図である。
【図９】第２実施形態に係る各装置の処理ブロックを示す図である。
【図１０】管理データ記憶部に記憶されるテーブルの一例を示す図である。
【図１１】第２実施形態に係る使用言語決定処理手順の一例を示すシーケンス図である。
【図１２】第２実施形態に係る使用言語決定処理手順の一例を示すフローチャートである。
【発明を実施するための形態】
【０００８】
以下、実施の形態について詳細に説明する。
【０００９】
＜第１実施形態＞
＜画像処理装置：機能構成＞
図１は、第１実施形態に係る画像処理装置の機能構成の一例を示す図である。図１に示すように、出力装置の一例としての画像処理装置１０は、制御部１１と、操作部１２と、記憶部１３と、インターフェース部１４と、アプリ部１５とを有するように構成される。
【００１０】
画像処理装置１０は、例えば複合機等の画像処理機能を有する装置であるがこれには限定されず、コピー機、スキャナ、プリンタ、レーザプリンタ等であっても良い。画像処理装置１０には、例えば、予め複数の言語（日本語、英語、フランス語、スペイン語、中国語等）が登録されており、登録された言語を使用したユーザインターフェース（例えば、操作画面や設定画面等の情報表示画面）を出力することが可能である。
【００１１】
制御部１１は、画像処理装置１０全体を制御する。制御部１１は、例えばユーザ管理部２０と、言語決定部２１と、画面作成部２２とを有するように構成される。ユーザ管理部２０は、画像処理装置１０を使用するユーザを管理する。
【００１２】
言語決定部２１は、ユーザのログイン許可を受けると、ユーザに対応する言語のユーザインターフェースを用いるか判定し、判定した結果から、ユーザを特定するユーザ特定情報に基づき、ユーザインターフェースの使用言語を決定する。例えば、言語決定部２１は、ユーザ特定情報から、使用言語と予め対応付けた所定のパターンを抽出し、抽出したパターンに基づき、ユーザインターフェースの使用言語を決定する。なお、言語決定部２１による具体的な処理については後述する。
【００１３】
画面作成部２２は、操作部１２の画面上にユーザインターフェースを表示させるための画面データを作成する。画面作成部２２は、例えば言語決定部２１により決定された使用言語によるユーザインターフェースの画面データを作成する。
【００１４】
なお、画面作成部２２は、ユーザインターフェースの使用言語を設定する設定画面を作成し、ユーザの入力指示に応じて使用言語を設定する言語設定手段としての機能を有しても良い。また、画面作成部２２は、使用言語の切換ボタンを有する設定画面を作成し、切換ボタンにより、ユーザインターフェースの使用言語を、ユーザに対応する言語にするか、画像処理装置１０に設定された設定言語にするか切り換える切換手段としての機能を有しても良い。
【００１５】
操作部１２は、画像処理装置１０に対する各種指示を入力したり、各種指示を入力するためのユーザインターフェースを画面上に表示したりする。操作部１２は、例えば画面作成部２２により作成された画面データを、画面上に表示する。
【００１６】
なお、操作部１２は、例えばユーザのユーザ名や、ユーザが保持する電子媒体（例えばＩＣカード等）のカードＩＤ等を入力したりする画面から、例えばユーザ名やカードＩＤ等のユーザ特定情報を取得する情報取得手段としての機能も有する。
【００１７】
記憶部１３は、例えばユーザ情報３０と、使用言語変換情報３１と、画面情報３２とを格納している。ユーザ情報３０は、例えば、画像処理装置１０を利用可能なユーザのユーザ名や、カードＩＤ等が登録され、それぞれのユーザに対応するユーザインターフェースの使用言語等が登録されている。
【００１８】
使用言語変換情報３１は、ユーザ情報３０に登録されたユーザに対してユーザインターフェースの使用言語が未登録の場合に用いられる。使用言語変換情報３１は、例えばユーザ特定情報としてのユーザ名、カードＩＤ等から抽出されたパターンと、抽出されたパターンに対応して設定された使用言語等により構成されている。
【００１９】
画面情報３２は、ユーザインターフェースに表示される文字データ等であり、画面作成部２２により作成された画面データを含む。
【００２０】
インターフェース部１４は、有線又は無線により接続された外部装置等とデータの送受信を行う。
【００２１】
アプリ部１５は、例えば標準アプリや拡張アプリが記憶されている。標準アプリは、例えばプリントや、スキャン等の画像処理装置１０の機能に係るアプリケーションである。拡張アプリは、その他のサービスを提供するためのアプリケーションである。
【００２２】
上述した構成を有することにより、ユーザに利便性の良いユーザインターフェースを提示することが可能となる。
【００２３】
＜画像処理装置：ハードウェア構成＞
図２は、第１実施形態に係る画像処理装置のハードウェア構成の一例を示す図である。図２に示すように、画像処理装置１０は、コントローラ４０と、スキャナ４１と、プリンタ４２と、操作パネル４３と、通信インターフェース４４等を有するように構成される。
【００２４】
コントローラ４０は、ＣＰＵ４５と、ＲＡＭ４６と、ＲＯＭ４７と、ＨＤＤ（Ｈａｒｄ  Ｄｉｓｋ  Ｄｒｉｖｅ）４８と、ＮＶＲＡＭ（Ｎｏｎ  Ｖｏｌａｔｉｌｅ  ＲＡＭ）４９等を有するように構成される。
【００２５】
ＣＰＵ４５は、ＲＡＭ４６にロードされたプログラムを処理することにより、各種の機能を実現する。ＲＡＭ４６は、プログラムをロードするための記憶領域や、ロードされたプログラムのワーク領域等として用いられる。ＲＯＭ４７には、各種のプログラムやプログラムによって利用されるデータ等が記録されている。
【００２６】
ＨＤＤ４８には、プログラムやプログラムが利用する各種のデータ等が記録される。ＮＶＲＡＭ４９には、各種の設定情報等が記録される。
【００２７】
スキャナ４１は、原稿より画像データを読み取るためのハードウェア（画像読取手段）である。プリンタ４２は、印刷データを印刷用紙に印刷するためのハードウェア（印刷手段）である。操作パネル４３は、ユーザからの入力を受け付けるボタン等の入力手段や、液晶パネル等の表示手段等を備えたハードウェアである。
【００２８】
通信インターフェース４４は、ＬＡＮ（Ｌｏｃａｌ  Ａｒｅａ  Ｎｅｔｗｏｒｋ）等のネットワーク（有線又は無線の別は問わない）に接続するためのハードウェアである。
【００２９】
なお、図１に示す制御部１１の各機能は、コントローラ４０により制御される。
【００３０】
＜使用言語決定処理手順＞
図３は、第１実施形態に係る使用言語決定処理手順の一例を示すフローチャートである。図３に示すように、画像処理装置１０は、操作部１２により、ログイン情報の入力があるか判断する（Ｓ１０）。ここで、ログイン情報には、例えばユーザ名や、ユーザが携帯所持するＩＣカード等から得られるカードＩＤ等のユーザを特定するユーザ特定情報が含まれる。
【００３１】
画像処理装置１０は、操作部１２により、ログイン情報の入力があると判断すると（Ｓ１０において、ＹＥＳ）、ユーザ管理部２０により、ログイン情報に基づいてログインが許可されるか判断する（Ｓ１１）。ここで、ユーザ管理部２０は、ユーザ情報３０に登録されているユーザ名やカードＩＤ等と、入力されたログイン情報とが一致する場合に、ログインを許可する。
【００３２】
なお、画像処理装置１０は、ログイン情報の入力がないと判断すると（Ｓ１０において、ＮＯ）、ログイン情報の入力があるまで待機する。
【００３３】
画像処理装置１０は、ユーザ管理部２０により、ログインが許可されたと判断すると（Ｓ１１において、ＹＥＳ）、言語決定部２１により、例えばユーザに対応する言語のユーザインターフェースを利用するか判定する（Ｓ１２）。
【００３４】
Ｓ１２の判定は、ユーザ特定情報に基づいた使用言語によるユーザインターフェースを用いるか判定するものであり、操作部１２の画面にＯＮ／ＯＦＦボタンを設けて、ユーザにより選択しても良く、予め画像処理装置１０ごとに設定されていても良い。
【００３５】
画像処理装置１０は、言語決定部２１により、ユーザに対応する言語のユーザインターフェースを利用しないと判定すると（Ｓ１２において、ＮＯ）、ユーザインターフェースの使用言語として、画像処理装置１０に設定された設定言語を適用すると決定する（Ｓ１３）。
【００３６】
上述した判定により、例えばユーザが通常と異なる使用言語のユーザインターフェースを用いる場合等において言語設定を変えれば良くなるため、処理が早くなり、ユーザの利便性を良くすることが可能となる。
【００３７】
画像処理装置１０は、言語決定部２１により、ユーザに対応する言語のユーザインターフェースを利用すると判定すると（Ｓ１２において、ＹＥＳ）、ユーザ情報３０を参照して、ログインしたユーザに対応するユーザインターフェースの使用言語が登録済みか判断する（Ｓ１４）。
【００３８】
画像処理装置１０は、言語決定部２１により、ログインしたユーザに対応するユーザインターフェースの使用言語が登録済みである判断すると（Ｓ１４において、ＹＥＳ）、ユーザインターフェースの使用言語として、登録済みの言語を適用すると決定する（Ｓ１５）。
【００３９】
画像処理装置１０は、言語決定部２１により、ログインしたユーザに対応するユーザインターフェースの使用言語が登録済みではない判断すると（Ｓ１４において、ＮＯ）、ユーザのユーザ特定情報から所定のパターンを抽出する。また、言語決定部２１は、使用言語変換情報３１を参照して、抽出したパターンから、ユーザインターフェースの使用言語を決定する（Ｓ１６）。
【００４０】
画像処理装置１０は、言語決定部２１により、決定した使用言語がサポート言語範囲外か判断し、サポート言語範囲外である場合にはデフォルト言語を適用するか判断する（Ｓ１７）。ここで、画像処理装置１０は、例えば操作部１２の画面上で、ユーザに対して決定したユーザインターフェースの使用言語がサポート言語範囲外であることを通知し、デフォルト言語を適用するか選択させると良い。
【００４１】
画像処理装置１０は、例えばユーザの選択を受けて、言語決定部２１によりデフォルト言語を適用しないと判断した場合（Ｓ１７において、ＮＯ）、Ｓ１５の処理又はＳ１６の処理で決定した使用言語への変換を試みる（Ｓ１８）。Ｓ１８の処理を設けているのは、Ｓ１５の処理又はＳ１６の処理で決定した使用言語が、例えば画像処理装置１０のサポート言語範囲外であっても、表示可能なフォント等がインストールされている場合には、変換が可能であるためである。
【００４２】
画像処理装置１０は、言語決定部２１によりデフォルト言語を適用すると判断した場合（Ｓ１７において、ＹＥＳ）、ユーザインターフェースの使用言語として、サポート言語範囲で優先順位の高い言語を適用すると決定する（Ｓ１９）。なお、上述したＳ１１の処理においてユーザ管理部２０により、ログインが許可されなかったと判断すると（Ｓ１１において、ＮＯ）、処理を終了する。
【００４３】
上述した処理により、ユーザインターフェースの使用言語を決定することが可能となる。
【００４４】
＜使用言語決定処理に用いられるテーブルの一例＞
図４は、使用言語決定処理に用いられるテーブルの一例を示す図である。例えば、図４（Ａ）は、ユーザ情報の一例を示し、図４（Ｂ）は、使用言語変換情報の一例を示している。
【００４５】
図４（Ａ）に示すユーザ情報３０は、例えば「ユーザ名」、「カードＩＤ」、「使用言語」等の項目により構成されるが、項目についてはこれに限定されない。図４（Ａ）に示すように、ユーザ特定情報としての「ユーザ名」、「カードＩＤ」に対して、ユーザインターフェースの「使用言語」が対応付けて登録されている。
【００４６】
したがって、入力されたログイン情報に一致した「ユーザ名」、「カードＩＤ」の「使用言語」（「Ｊａｐａｎｅｓｅ」、「Ｅｎｇｌｉｓｈ」等）が、その「ユーザ名」、「カードＩＤ」に対応するユーザインターフェースの使用言語として用いられる。
【００４７】
なお、図４（Ａ）に示すように「使用言語」に「未登録」の場合もある。このような「未登録」の場合には、図４（Ａ）に示す「ユーザ名」、「カードＩＤ」のユーザ特定情報に組み込まれている所定のパターンを抽出し、図４（Ｂ）に示す使用言語変換情報３１を用いて、ユーザインターフェースの使用言語を決定すると良い。
【００４８】
図４（Ｂ）に示す使用言語変換情報３１は、例えば「変換対象」、「パターン」、「使用言語」等の項目により構成される。例えば、「変換対象」は、ユーザのログイン時の入力方法によって「カードＩＤ」か「ユーザ名」かにより区別されるがこれには限定されない。
【００４９】
例えば、「カードＩＤ」の場合には、図４（Ａ）に示す「カードＩＤ」に「パターン」として「１１*」、「２２*」等が組み込まれているものとする。また、「ユーザ名」の場合には、図４（Ａ）に示す「ユーザ名」に「パターン」として「*＠ｄｅ」、「*＠ｉｔ」等が組み込まれているものとする。
【００５０】
このように、「カードＩＤ」にパターンとして組み込まれている「１１*」、「２２*」等は使用言語を示し、例えば「１１*」の場合に「使用言語」が「Ｊａｐａｎｅｓｅ」であり、「２２*」の場合に「使用言語」が「Ｅｎｇｌｉｓｈ」であることを示している。
【００５１】
したがって、言語決定部２１は、図４（Ａ）に示す「カードＩＤ」が「１１００００００」の場合に、冒頭の数字２桁を抽出すると「１１」となるため、図４（Ｂ）に示す「パターン」の「１１」を参照し、「使用言語」は、「Ｊａｐａｎｅｓｅ」と決定する。
【００５２】
また、例えば「ユーザ名」にパターンとして組み込まれている「＠ｊｐ」、「＠ｕｓ」等は使用言語を示し、例えば「＠ｊｐ」の場合に「使用言語」が「Ｊａｐａｎｅｓｅ」、「＠ｕｓ」の場合に「使用言語」が「Ｅｎｇｌｉｓｈ」であることを示している。
【００５３】
したがって、言語決定部２１は、図４（Ａ）に示す「ユーザ名」が「ｕｓｅｒ＠ｄｅ」の場合には、＠以降の文字を抽出すると「ｄｅ」となるため、図４（Ｂ）に示す「パターン」の「＠ｄｅ」を参照して、「使用言語」は、「Ｇｅｒｍａｎ」と決定する。
【００５４】
上述したように、ユーザのユーザ特定情報に基づき、ユーザインターフェースの使用言語が決定される。なお、「未登録」の場合には、上述のように決定された使用言語を上書きして次回のログイン時に用いても良い。
【００５５】
＜ユーザ情報表示画面例＞
図５は、ユーザ情報表示画面を説明するための図である。図５（Ａ）は、操作部に表示される操作画面の一例を示している。図５（Ｂ）は、ユーザ情報表示画面の一例を示している。図５（Ｃ）は、使用言語設定画面の一例を示している。
【００５６】
図５（Ａ）に示す操作画面において、ユーザ情報表示ボタン５０が押下されると、図５（Ｂ）に示すユーザ情報表示画面が表示される。図５（Ｂ）に示すユーザ情報表示画面には、「Ｕｓｅｒ  Ｎａｍｅ」の他、「Ｕｓｅｒ  Ｌｏｃａｌｅ」として、ユーザインターフェースの使用言語が設定されている。
【００５７】
この「Ｕｓｅｒ  Ｌｏｃａｌｅ」には、編集ボタン５２が設けられており、編集ボタン５２が押下されると、図５（Ｃ）に示す使用言語設定画面が表示される。図５（Ｃ）に示す使用言語設定画面には、使用言語として設定可能な言語が表示されている。
【００５８】
ここで、例えば表示されている言語のうちの１つを選択してＯＫボタンを押下すると、選択した言語が、図５（Ｂ）に示すユーザ情報表示画面の「Ｕｓｅｒ  Ｌｏｃａｌｅ」に反映され、ユーザに対応して設定されている言語を変更することが可能となる。
【００５９】
なお、図５（Ｃ）に示す使用言語設定画面で、キャンセルボタンやＯＫボタンを押下して使用言語の変更が失敗したりした場合には、選択した言語が「Ｕｓｅｒ  Ｌｏｃａｌｅ」に反映されないまま、図５（Ｂ）に示すユーザ情報表示画面に戻ることとなる。
【００６０】
上述したように、ユーザは、ユーザ情報表示画面で自身に設定されているユーザインターフェースの使用言語を閲覧し、使用言語を設定又は変更することが可能となる。
【００６１】
また、図５（Ａ）に示す操作画面には、「Ｕｓｅｒ  Ｌｏｃａｌｅ」ボタン５１が設けられている。したがって、「Ｕｓｅｒ  Ｌｏｃａｌｅ」ボタン５１を押下し、ロケール表示のＯＮ／ＯＦＦにより、ユーザに対応する言語のユーザインターフェースか、画像処理装置１０の設定言語のユーザインターフェースか、その表示を切り換えても良い。
【００６２】
これにより、例えばユーザに対応する言語が、画像処理装置１０においてサポートされていない言語の場合には、ユーザの入力により画像処理装置１０において設定されている設定言語に切り換えて表示することが可能となる。
【００６３】
＜第２実施形態：システム構成＞
第１実施形態の図１に示す画像処理装置１０は、例えば図６に示す構成として用いても良い。図６は、第２実施形態に係るシステムの一例の構成図である。
【００６４】
図６に示すように、情報処理システム１００は、例えばオフィス内ネットワーク等のネットワークＮ１−１〜Ｎ１−２と、クラウドサービスに代表されるようなサービス提供システムのネットワークＮ２と、インターネット等のネットワークＮ３とを有する。
【００６５】
ネットワークＮ１−１〜Ｎ１−２は、ファイアウォールＦＷの内側にあるプライベートなネットワークである。ファイアウォールＦＷは、ネットワークＮ１−１〜Ｎ１−２とネットワークＮ３との接点に設置され、不正なアクセスを検出及び遮断する。ネットワークＮ１−１には、画像処理装置６０−１と、認証サーバ６１とが接続されている。ネットワークＮ１−２は、画像処理装置６０−２が接続されている。
【００６６】
画像処理装置６０−１〜６０−２は、複合機等の画像処理機能を有する装置である。画像処理装置６０−１〜６０−２は、無線又は有線によるに通信手段を有する。画像処理装置６０−１〜６０−２は、複合機、コピー機、スキャナ、プリンタ、レーザプリンタ、プロジェクタ、電子黒板等、画像処理を行う装置であり、例えば、第１実施形態の画像処理装置１０に対応する。
【００６７】
認証サーバ６１は、ＰＣ（Ｐｅｒｓｏｎａｌ  Ｃｏｍｐｕｔｅｒ）、サーバ、シンクライアント等の情報処理装置であり、ユーザの認証を行う装置である。
【００６８】
図６の例では、一例としてネットワークＮ１−１〜Ｎ１−２において、画像処理装置６０−１〜６０−２と、認証サーバ６１が接続されている例を示しているが、これらは複数台であっても良い。
【００６９】
ネットワークＮ２は、アクセス制御装置７１によってネットワークＮ３に接続されている。ネットワークＮ２は、アクセス制御装置７１によってセキュリティが保護されている。ネットワークＮ２には、プリントサービス提供装置７２と、配信サービス提供装置７３と、他サービス提供装置７４とが接続されている。
【００７０】
すなわち、図６に示す情報処理システム１００において、アクセス制御装置７１と、プリントサービス提供装置７２と、配信サービス提供装置７３と、他サービス提供装置７４とがサービス提供システムを実現している。
【００７１】
アクセス制御装置７１は、プリントサービス提供装置７２が提供するプリントサービスや、配信サービス提供装置７３が提供する配信サービス等、各サービスへのログインを制御する。アクセス制御装置７１と、プリントサービス提供装置７２と、配信サービス提供装置７３と、他サービス提供装置７４とは、１以上の情報処理装置によって実現される。
【００７２】
なお、アクセス制御装置７１と、プリントサービス提供装置７２と、配信サービス提供装置７３と、他サービス提供装置７４は、１台の情報処理装置に統合して実現しても良いし、複数の情報処理装置に分散して実現しても良い。なお、ネットワークＮ２側のサービスの一部はネットワークＮ２以外にあっても良い。
【００７３】
＜第２実施形態：ハードウェア構成＞
認証サーバ６１と、アクセス制御装置７１と、プリントサービス提供装置７２と、配信サービス提供装置７３と、他サービス提供装置７４とは、例えば図７に示すハードウェア構成のコンピュータシステムにより実現される。
【００７４】
図７は、第２実施形態に係るコンピュータシステムのハードウェア構成図である。図７に示すコンピュータシステム１０１は、入力装置８１と、表示装置８２と、ＲＡＭ８３と、ＲＯＭ８４と、ＨＤＤ８５と、ＣＰＵ８６と、通信Ｉ／Ｆ８７と、外部Ｉ／Ｆ８８とを有し、それぞれがバスＢで相互に接続されている。
【００７５】
入力装置８１は、キーボードやマウス、タッチパネル等を含み、ユーザが各操作信号を入力するのに用いられる。表示装置８２は、ディスプレイ等を含み、コンピュータシステム１０１による処理結果を表示する。
【００７６】
ＲＡＭ８３は、プログラムやデータを一時保持する揮発性の半導体メモリ（記憶装置）である。ＲＯＭ８４は、電源を切ってもプログラムやデータを保持可能な不揮発性の半導体メモリ（記憶装置）である。ＲＯＭ８４には、コンピュータシステム１０１の起動時に実行されるＢＩＯＳ（Ｂａｓｉｃ  Ｉｎｐｕｔ／Ｏｕｔｐｕｔ  Ｓｙｓｔｅｍ）、ＯＳ設定、及びネットワーク設定等のプログラムやデータが格納されている。
【００７７】
ＨＤＤ８５は、プログラムやデータを格納している不揮発性の記憶装置である。格納されるプログラムやデータには、例えばコンピュータシステム１０１全体を制御する基本ソフトウェアであるＯＳ（Ｏｐｅｒａｔｉｎｇ  Ｓｙｓｔｅｍ）や、ＯＳ上において各種機能を提供するアプリケーションソフトウェア等がある。
【００７８】
ＨＤＤ８５は、格納しているプログラムやデータを所定のファイルシステム及び／又はＤＢ（データベース）により管理している。
【００７９】
ＣＰＵ８６は、ＲＯＭ８４やＨＤＤ８５等の記憶装置からプログラムやデータをＲＡＭ８３上に読み出し、処理を実行することで、コンピュータシステム１０１全体の制御や機能を実現する演算装置である。
【００８０】
通信Ｉ／Ｆ８７は、コンピュータシステム１０１をネットワークＮ１〜Ｎ３に接続するインターフェースである。これにより、コンピュータシステム１０１は、通信Ｉ／Ｆ８７を介してデータ通信を行う。
【００８１】
外部Ｉ／Ｆ８８は、外部装置とのインターフェースである。外部装置には、記録媒体８８Ａ等がある。これにより、コンピュータシステム１０１は、外部Ｉ／Ｆ８８を介して記録媒体８８Ａの読み取り及び／又は書き込みを行うことが可能である。
【００８２】
記録媒体８８Ａには、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード（ＳＤ  Ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）等がある。
【００８３】
認証サーバ６１と、アクセス制御装置７１と、プリントサービス提供装置７２と、配信サービス提供装置７３と、他サービス提供装置７４とは、コンピュータシステム１０１のハードウェア構成により、後述する各種処理を実現することが可能となる。
【００８４】
＜ソフトウェア構成：サービス提供システム＞
第２実施形態に係るサービス提供システムは、例えば図８に示す処理ブロックにより実現される。図８は、第２実施形態に係るサービス提供システムの一例の処理ブロック図である。
【００８５】
サービス提供システム９０は、プログラムの実行により、サービスアプリ９１と、プラットフォーム９２と、管理データ記憶部９３と、プラットフォームＡＰＩ（Ａｐｐｌｉｃａｔｉｏｎ  Ｐｒｏｇｒａｍｍｉｎｇ  Ｉｎｔｅｒｆａｃｅ）９４とを実現している。
【００８６】
サービスアプリ９１は、プリントサービスアプリ１１０と、配信サービスアプリ１１１と、１つ以上のその他のサービスアプリ１１２とを一例として有している。プリントサービスアプリ１１０は、例えばプリントサービスを提供するアプリケーションである。
【００８７】
配信サービスアプリ１１１は、例えば配信サービスを提供するアプリケーションである。その他のサービスアプリ１１２は、何らかのサービスを提供するアプリケーションである。
【００８８】
プラットフォームＡＰＩ９４は、プリントサービスアプリ１１０と、配信サービスアプリ１１１と、その他のサービスアプリ１１２等のサービスアプリ９１が、プラットフォーム９２を利用するためのインターフェースである。
【００８９】
プラットフォームＡＰＩ９４は、サービスアプリ９１からの要求をプラットフォーム９２が受信するために設けられた予め定義されたインターフェースであり、例えば関数やクラス等により構成される。なお、サービス提供システム９０が複数の情報処理装置に分散して構成される場合、プラットフォームＡＰＩ９４にはネットワーク経由で利用可能な例えばＷｅｂ  ＡＰＩ等を利用することが可能である。
【００９０】
プラットフォーム９２は、認証部１２１と、機器通信部１２２と、言語決定部１２３とを有するように構成される。
【００９１】
認証部１２１は、図６に示すオフィス機器からのログイン要求に基づいて認証を実行する。なお、オフィス機器とは、画像処理装置６０−１〜６０−２や、認証サーバ６１等の総称である。認証部１２１は、例えば管理データ記憶部９３に記憶されている組織管理情報記憶部１３１や、ユーザ管理情報記憶部１３２、機器管理情報記憶部１３３等にアクセスして認証を行う。
【００９２】
機器通信部１２２は、オフィス機器との通信を実行する。言語決定部１２３は、サービスアプリ９１からの要求に基づいて、ユーザインターフェースの使用言語を決定する。言語決定部１２３は、例えば、第１実施形態の言語決定部２１に対応する。
【００９３】
管理データ記憶部９３は、組織管理情報記憶部１３１と、ユーザ管理情報記憶部１３２と、機器管理情報記憶部１３３と、データ管理情報記憶部１３４と、データストレージ１３５とを有するように構成される。
【００９４】
組織管理情報記憶部１３１は、組織管理情報を記憶する。ユーザ管理情報記憶部１３２は、ユーザ管理情報を記憶する。機器管理情報記憶部１３３は、機器管理情報を記憶する。データ管理情報記憶部１３４は、データストレージ１３５に記憶するデータに関する情報を記憶する。データストレージ１３５は、その他のデータ等を記憶する。
【００９５】
サービス提供システム９０は、例えば認証や言語決定といった機能を有するクラウド基盤と、クラウド基盤の機能を利用してプリントサービス等のサービス提供を行うサービス群として機能する。
【００９６】
クラウド基盤は、例えばプラットフォーム９２と、管理データ記憶部９３と、プラットフォームＡＰＩ９４とによって構成される。サービス群は、例えばプリントサービスアプリ１１０と、配信サービスアプリ１１１、その他のサービスアプリ１１２とによって構成される。
【００９７】
サービス提供システム９０のクラウド基盤が有する認証の機能は、例えば認証部１２１と、認証用データベースにより構成される。認証用データベースは、組織管理情報記憶部１３１と、ユーザ管理情報記憶部１３２と、機器管理情報記憶部１３３等により構成される。
【００９８】
また、サービス提供システム９０のクラウド基盤が有する使用言語決定機能は、例えば言語決定部１２３と、組織管理情報記憶部１３１と、ユーザ管理情報記憶部１３２と、機器管理情報記憶部１３３等により構成される。
【００９９】
サービス群は、サービス提供システム９０のクラウド基盤が有する認証や使用言語決定機能を利用し、サービスの提供を行う。また、図８のサービス提供システム９０は、複数のサービスアプリ９１が共通に利用する組織管理情報、ユーザ管理情報、機器管理情報、ストレージ情報を有することで、認証機能を集約している。
【０１００】
＜各装置の処理ブロック＞
図９は、第２実施形態に係る各装置の処理ブロックを示す図である。画像処理装置６０と、認証サーバ６１と、サービスアプリ９１とは、それぞれ図９に示す処理ブロックにより実現される。
【０１０１】
画像処理装置６０は、プログラムを実行することにより、ログイン要求部１４０と、サービス利用要求部１４１と、設定情報保持部１４２とを実現している。また、ログイン要求部１４０と、サービス利用要求部１４１と、設定情報保持部１４２とは、例えばサービス利用アプリにより実現している。
【０１０２】
ログイン要求部１４０は、例えばユーザの操作により入力したユーザＩＤ等の認証情報をサービス提供システム９０に送信し、ログインを要求する。なお、ユーザＩＤ等は、第１実施形態で用いたユーザ名や、カードＩＤ等のユーザ特定情報であっても良い。
【０１０３】
サービス利用要求部１４１は、サービス提供システムが提供するサービスの利用を要求する。設定情報保持部１４２は、サービス提供システムを利用するための設定情報を保持する。
【０１０４】
認証サーバ６１は、プログラムを実行することにより、認証部１５０と、ユーザ情報保持部１５１とを実現している。認証部１５０は、画像処理装置６０からの認証要求に基づいて認証を実行する。ユーザ情報保持部１５１は、認証を判定するときに利用するユーザ情報を保持する。例えば、第１実施形態のユーザ情報３０等を記憶しても良い。
【０１０５】
サービス提供システム９０のサービスアプリ９１は、コンピュータシステム１０１を、画面情報送信部１６０と、サービス実行部１６１と、画面情報記憶部１６２として機能させる。画面情報送信部１６０は、サービス実行部１６１により取得した画面情報を画像処理装置６０に送信する。
【０１０６】
サービス実行部１６１は、例えば言語決定部１２３による決定に基づき、画面情報記憶部１６２から対応する画面情報を取得する。画面情報記憶部１６２は、第１実施形態の画面情報３２に対応し、例えばユーザインターフェースの使用言語に対応した画面情報を記憶する。
【０１０７】
上述した構成を有することにより、画像処理装置６０は、ユーザがサービス利用アプリを利用する際、サービスアプリ９１から所定の言語に基づき作成されたユーザインターフェースを取得することが可能となる。
【０１０８】
＜管理データ記憶部に記憶されるテーブル例＞
図１０は、管理データ記憶部に記憶されるテーブルの一例を示す図である。図１０（Ａ）は、組織管理情報の一例を示す。図１０（Ｂ）は、ユーザ管理情報の一例を示す。図１０（Ｃ）は、機器管理情報の一例を示す。
【０１０９】
図１０（Ａ）に示す組織管理情報は、例えば「組織コード」、「組織名」、「使用言語設定」、「言語指定」等の項目により構成される。「組織コード」は、例えば組織等のグループを特定する情報であり、例えば１人以上のユーザや１以上のオフィス機器を特定する情報であっても良い。「組織名」は、「組織コード」に対応する名称を示す。
【０１１０】
「使用言語設定」は、「組織コード」に対応して、予め設定された情報であり、「ユーザ優先」か「デフォルト（機器優先）」かを示している。
【０１１１】
ここで、「ユーザ優先」の場合には、図１０（Ｂ）に示すユーザ管理情報でユーザごとに設定された国に対応する言語を、ユーザインターフェースの使用言語として用いる。「デフォルト（機器優先）」の場合には、図１０（Ｃ）に示す機器管理情報の機器ごとに設定された国に対応する言語を、ユーザインターフェースの使用言語として用いる。
【０１１２】
更に、「言語指定」は、「組織コード」に対応してユーザインターフェースの言語指定を行うか（ＯＮ）言語指定を行わないか（ＯＦＦ）が設定可能となっている。
【０１１３】
図１０（Ｂ）に示すユーザ管理情報は、例えば「組織コード」、「ユーザＩＤ」、「国」等の項目により構成される。ユーザ管理情報は、組織コード単位で情報を管理する。「ユーザＩＤ」は、ユーザを特定する情報である。なお、ユーザＩＤは、第１実施形態のユーザ特定情報であっても良い。「国」は、「ユーザＩＤ」に対応して設定された国を示している。
【０１１４】
図１０（Ｃ）に示す機器管理情報は、例えば「組織コード」、「機器認証情報」、「国」等の項目により構成される。機器管理情報は、組織コード単位で情報を管理する。「機器認証情報」は、オフィス機器の機器認証のための情報である。「国」は、「機器認証情報」に対応して設定された国を示している。
【０１１５】
＜第２実施形態：使用言語決定処理シーケンス＞
図１１は、第２実施形態に係る使用言語決定処理手順の一例を示すシーケンス図である。図１１に示すシーケンスは、例えば認証サーバ６１と、画像処理装置６０−１と、サービス提供システム９０により実行される。
【０１１６】
例えば、画像処理装置６０−１の操作部１２から認証情報の一例としてユーザによりユーザＩＤ等が入力されると、操作部１２は認証情報を受け付け（Ｓ２０）、認証サーバ６１に対して、認証情報を送信し、認証要求を行う（Ｓ２１）。
【０１１７】
認証サーバ６１は、送信された認証情報に基づき認証を行い（Ｓ２２）、操作部１２に対して認証結果（例えば認証ＯＫ）を通知する（Ｓ２３）。画像処理装置６０−１の操作部１２は、認証サーバ６１からの認証結果（例えば認証ＯＫ）を取得すると、上述した図３の処理により決定された言語のユーザインターフェースを表示する（Ｓ２４）。
【０１１８】
次に、画像処理装置６０−１の操作部１２は、例えばサービスアプリ選択画面がユーザにより選択されたと判断すると、サービスアプリの利用を受け付ける（Ｓ２５）。ここで、画像処理装置６０−１の操作部１２は、Ｓ２４の処理で決定されたユーザインターフェースの使用言語に関する情報（使用言語情報）をサービス提供システム９０に送信するか、予め設定された情報に基づき判断する。
【０１１９】
画像処理装置６０−１の操作部１２は、例えば使用言語情報を送信しないと判断すると、組織コード、ユーザＩＤ、画像処理装置６０−１の機器認証情報等を用いて、ログイン要求部１４０にログインするよう要求する（Ｓ２６）。
【０１２０】
サービス利用アプリのログイン要求部１４０が、操作部１２から取得した情報を用いて、サービス提供システム９０の認証部１２１に認証を行うように要求すると（Ｓ２７）、認証部１２１は、認証を行う（Ｓ２８）。ここで、認証部１２１は、ログイン要求部１４０から取得したユーザＩＤ等が、上述した図１０に示すユーザ管理情報等と一致している場合、ログインＯＫと判断する。
【０１２１】
次に、サービス提供システム９０の認証部１２１が、画像処理装置６０−１の操作部１２から取得した情報を言語決定部１２３に出力すると、言語決定部１２３は、ユーザインターフェースの使用言語を決定する（Ｓ２９）。なお、言語決定部１２３により決定する処理手順については後述する。
【０１２２】
次に、サービス提供システム９０の言語決定部１２３は、Ｓ２９の処理で決定した使用言語情報をサービスアプリ９１に出力する（Ｓ３０）。サービスアプリ９１のサービス実行部１６１は、言語決定部１２３により得られた使用言語情報に対応するユーザインターフェースの画面情報を画面情報記憶部１６２から取得する（Ｓ３１）。
【０１２３】
サービス提供システム９０の画面情報送信部１６０は、サービス実行部１６１から取得した画面情報をログインＯＫ結果と併せて、画像処理装置６０−１のログイン要求部１４０に送信する（Ｓ３２）。
【０１２４】
画像処理装置６０−１のログイン要求部１４０が、Ｓ３２の処理で取得した情報を操作部１２に出力すると（Ｓ３３）、操作部１２は、取得した画面情報に基づきユーザインターフェースを表示する（Ｓ３４）。
【０１２５】
上述した処理により、画像処理装置６０−１は、サービス提供システム９０を利用する際においても、サービス提供システム９０で決定された使用言語に基づくユーザインターフェースを利用することが可能となる。
【０１２６】
次に、画像処理装置６０−１の操作部１２により、上述したＳ２５の処理において、Ｓ２４の処理で決定した使用言語情報をサービス提供システム９０に送信すると判断した場合について説明する。
【０１２７】
画像処理装置６０−１の操作部１２は、例えば組織コード、ユーザＩＤ、画像処理装置６０−１の機器認証情報の他、使用言語情報を用いて、サービス利用アプリのログイン要求部１４０にログインするよう要求する（Ｓ４０）。
【０１２８】
サービス利用アプリのログイン要求部１４０が、操作部１２から取得した情報を用いて、サービス提供システム９０の認証部１２１に認証を行うように要求すると（Ｓ４１）、認証要求部１２１は、認証を行う（Ｓ４２）。Ｓ４２の処理は、上述したＳ２８の処理と同様の処理であるため省略する。
【０１２９】
サービス提供システム９０の認証部１２１が、ログインＯＫと判断すると、言語決定部１２３に使用言語情報を出力し、言語決定部１２３は、使用言語情報に対応するユーザインターフェースの使用言語を決定する（Ｓ４３）。
【０１３０】
なお、以下のＳ４４〜Ｓ４８の処理は、上述したＳ３０〜Ｓ３４の処理と同様の処理であるため省略する。
【０１３１】
上述した処理により、画像処理装置６０−１は、サービス提供システム９０を利用する際において、画像処理装置６０−１から送信した使用言語情報に基づくユーザインターフェースを利用することが可能となる。
【０１３２】
＜第２実施形態：使用言語決定処理＞
図１２は、第２実施形態に係る使用言語決定処理手順の一例を示すフローチャートである。図１２の処理では、図１１に示すＳ２８〜Ｓ２９、Ｓ４２〜Ｓ４３の処理について具体的に説明する。
【０１３３】
図１２に示すように、サービス提供システム９０の認証部１２１が認証を行い、ログインＯＫと判断すると（Ｓ５０）、言語決定部１２３は、画像処理装置６０−１が言語指定ＯＮか判断する（Ｓ５１）。
【０１３４】
ここで、言語決定部１２３は、上述した図１０（Ａ）に示す組織管理情報を参照し、画像処理装置６０−１から取得した組織コードに基づき、図１０（Ａ）に示す「言語指定」がＯＮかＯＦＦか判断すると良い。
【０１３５】
言語決定部１２３は、言語指定ＯＮの場合（Ｓ５１において、ＹＥＳ）、画像処理装置６０から使用言語情報が送られてきたか（使用言語情報あり？）判断する（Ｓ５２）。言語決定部１２３は、使用言語情報ありの場合には（Ｓ５２において、ＹＥＳ）、使用言語情報に対応する言語をユーザインターフェースの使用言語として決定する（Ｓ５３）。
【０１３６】
なお、言語決定部１２３は、言語指定ＯＦＦの場合（Ｓ５１において、ＮＯ）、例えば画像処理装置６０−１から取得した組織コードに基づき、図１０（Ａ）に示す「使用言語設定」がユーザ優先かデフォルト（機器優先）か判断する（Ｓ５４）。
【０１３７】
言語決定部１２３は、ユーザ優先の場合には（Ｓ５４において、ＹＥＳ）、図１０（Ｂ）に示すユーザ管理情報を参照し、組織コード及びユーザＩＤ等に基づき、ユーザに対応する「国」の言語に決定する（Ｓ５５）。
【０１３８】
言語決定部１２３は、デフォルト（機器優先）の場合（Ｓ５４において、ＮＯ）、図１０（Ｃ）に示す機器管理情報を参照し、組織コード及び機器認証情報等に基づき、機器（画像処理装置６０−１）に対応する「国」の言語に決定し（Ｓ５６）、処理を終了する。
【０１３９】
なお、図６に示す画像処理装置６０−２は、図１１に示すＳ２０の処理で、ユーザにより操作部１２を介して入力された認証情報を受け付けると、受け付けた認証情報を用いて、Ｓ２６の処理でサービス提供システム９０にログインするようログイン要求部１４０に要求する。その後、Ｓ２６〜Ｓ３４の処理に基づき、ユーザインターフェースの使用言語を決定することが可能である。
【０１４０】
上述した実施形態によれば、ユーザに利便性の良いユーザインターフェースを提示することが可能となる。また、上述した実施形態によれば、例えば出張先の画像処理装置において、通常の使用言語と異なるユーザインターフェースにより操作する場合であっても、ユーザに利便性の良いユーザインターフェースを提示することが可能となる。また、ユーザ又は管理者等がユーザに対応する言語を設定していない場合でも、ユーザに対応する言語によるユーザインターフェースを出力することが可能となる。
【０１４１】
以上、開示の技術の好ましい実施形態について詳述したが、開示の技術に係る特定の実施形態に限定されるものではなく、特許請求の範囲に記載された開示の技術の要旨の範囲内において、種々の変形、変更が可能である。
【符号の説明】
【０１４２】
１０，６０  画像処理装置
１１  制御部
１２  操作部
１３  記憶部
１４  インターフェース部
１５  アプリ部
２０  ユーザ管理部
２１，１２３  言語決定部
２２  画面作成部
３０  ユーザ情報
３１  使用言語変換情報
３２  画面情報
４０  コントローラ
４１  スキャナ
４２  プリンタ
４３  操作パネル
４４，８７  通信インターフェース
４５，８６  ＣＰＵ
４６，８３  ＲＡＭ
４７，８４  ＲＯＭ
４８，８５  ＨＤＤ
４９  ＮＶＲＡＭ
６１  認証サーバ
７１  アクセス制御装置
７２  プリントサービス提供装置
７３  配信サービス提供装置
７４  他サービス提供装置
８１  入力装置
８２  表示装置
８８  外部Ｉ／Ｆ
９０  サービス提供システム
９１  サービスアプリ
９２  プラットフォーム
９３  管理データ記憶部
１００  情報処理システム
１０１  コンピュータシステム
１１０  プリントサービスアプリ
１１１  配信サービスアプリ
１１２  その他のサービスアプリ
１２１，１５０  認証部
１２２  機器通信部
１４０  ログイン要求部
１４１  サービス利用要求部
１４２  設定情報保持部
１５１  ユーザ情報保持部
１６０  画面情報送信部
１６１  サービス実行部
１６２  画面情報記憶部
【先行技術文献】
【特許文献】
【０１４３】
【特許文献１】特開２０１０−１６０６６７号公報
【図１】
2014177100.tif 000003
【図２】
2014177100.tif 000004
【図３】
2014177100.tif 000005
【図４】
2014177100.tif 000006
【図５】
2014177100.tif 000007
【図６】
2014177100.tif 000008
【図７】
2014177100.tif 000009
【図８】
2014177100.tif 000010
【図９】
2014177100.tif 000011
【図１０】
2014177100.tif 000012
【図１１】
2014177100.tif 000013
【図１２】
2014177100.tif 000014